(57)【要約】      （修正有）【課題】米粒の吸水効率を向上させ、炊飯の時間を短縮させ、調理器具により調理される米飯の食感を改善させ、ユーザのニーズを十分に満たすことができる調理器具及びその調理制御方法を提供する。【解決手段】調理器具は、本体と、蓋体と、真空装置と、加熱装置と、を含み、調理制御方法は、調理チェンバー内の圧力をリアルタイムで検出し、調理チェンバー内の米及び水の温度をリアルタイムで検出するステップと、調理器具が吸水段階にある場合、調理チェンバーを真空引きするように真空装置を制御し、加熱作動を行うように加熱装置を制御して、調理チェンバー内の圧力が第１所定圧力に達し、且つ前記米及び水の温度が所定温度に達した場合、真空引きを停止するように真空装置を制御し、加熱装置を制御することにより、調理チェンバー内の圧力を前記第１所定圧力に維持し、米及び水の温度を所定温度に維持するステップと、を含む。【選択図】図７
2019010495.tif 000002
【特許請求の範囲】
【請求項１】
調理器具の調理制御方法であって、
前記調理器具は、本体と、蓋体と、真空装置と、加熱装置と、を含み、前記本体は、頂部が開放された調理チェンバーを有し、前記蓋体は、閉位置と開位置との間を移動可能に前記本体に取り付けられ、前記真空装置は、前記調理チェンバーが密閉された場合、前記調理チェンバーを真空引きして前記調理チェンバー内を負圧にするものであり、前記調理制御方法は、
前記調理器具で調理する過程において、前記調理チェンバー内の圧力をリアルタイムで検出し、前記調理チェンバー内の米及び水の温度をリアルタイムで検出するステップと、
前記調理器具が吸水段階にある場合、前記調理チェンバーを真空引きするように前記真空装置を制御し、且つ加熱作動を行うように前記加熱装置を制御して、前記調理チェンバー内の圧力が第１所定圧力に達し且つ前記米及び水の温度が所定温度に達した場合、真空引きを停止するように前記真空装置を制御し、且つ前記加熱装置を制御することにより、前記調理チェンバー内の圧力を前記第１所定圧力に維持し且つ前記米及び水の温度を前記所定温度に維持することで、米粒の吸水効率を向上させるステップであって、前記第１所定圧力が大気圧より小さく、前記所定温度が４０〜７５℃であるステップと、
を含む、
ことを特徴とする調理器具の調理制御方法。
【請求項２】
前記調理制御方法は、
前記調理器具が蒸らし段階にある場合、前記調理チェンバーを真空引きするように前記真空装置を制御して、前記調理チェンバー内の圧力が第２所定圧力に達した場合、真空引きを停止するように前記真空装置を制御して、前記調理チェンバー内の圧力を前記第２所定圧力に維持するステップを含み、ここで、前記第２所定圧力が前記第１所定圧力より大きく、且つ零圧力より小さい、
ことを特徴とする請求項１に記載の調理器具の調理制御方法。
【請求項３】
前記調理器具が加熱段階及び沸騰段階にある場合、作動停止状態にあるように前記真空装置を制御し、前記加熱装置を制御することにより、前記調理チェンバー内の圧力が零圧力以上になるようにする、
ことを特徴とする請求項１に記載の調理器具の調理制御方法。
【請求項４】
前記第１所定圧力が５０〜８０ＫＰａであり、前記第２所定圧力が８０〜９５ＫＰａである、
ことを特徴とする請求項２に記載の調理器具の調理制御方法。
【請求項５】
前記第１所定圧力が６０ＫＰａであり、前記所定温度が６０℃であり、前記第２所定圧力が９０ＫＰａである、
ことを特徴とする請求項４に記載の調理器具の調理制御方法。
【請求項６】
前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ、
ことを特徴とする請求項１に記載の調理器具の調理制御方法。
【請求項７】
前記吸水段階は、複数の時間帯を含み、
前記複数の時間帯のうち少なくとも一つの時間帯において、前記真空装置と前記加熱装置とを制御することにより、前記調理チェンバー内の圧力を前記第１所定圧力に維持し且つ前記米及び水の温度を前記所定温度に維持する、
ことを特徴とする請求項１に記載の調理器具の調理制御方法。
【請求項８】
前記蓋体に設けられた圧力センサにより、前記調理チェンバー内の圧力をリアルタイムで検出する、
ことを特徴とする請求項１に記載の調理器具の調理制御方法。
【請求項９】
調理器具であって、
頂部が開放された調理チェンバーを有する本体と、
閉位置と開位置との間を移動可能に前記本体に取り付けられる蓋体と、
前記調理チェンバーが密閉された場合、前記調理チェンバーを真空引きして前記調理チェンバー内を負圧にするための真空装置と、
前記調理器具を加熱するための加熱装置と、
前記調理器具で調理する過程において、前記調理チェンバー内の米及び水の温度をリアルタイムで検出するための温度検出モジュールと、
前記調理器具で吸水段階と、加熱段階と、沸騰段階と、蒸らし段階とを含む調理する過程において、前記調理チェンバー内の圧力をリアルタイムで検出するための圧力検出モジュールと、
前記調理器具が吸水段階にある場合、前記調理チェンバーを真空引きするように前記真空装置を制御し、加熱作動を行うように前記加熱装置を制御して、前記調理チェンバー内の圧力が第１所定圧力に達し、且つ前記米及び水の温度が所定温度に達した場合、真空引きを停止するように前記真空装置を制御し、前記加熱装置を制御することにより、前記調理チェンバー内の圧力を前記第１所定圧力に維持し、且つ前記米及び水の温度を前記所定温度に維持することで、米粒の吸水効率を向上させるための制御モジュールと、を含み、
前記第１所定圧力が大気圧より小さく、前記所定温度が４０〜７５℃である、
ことを特徴とする調理器具。
【請求項１０】
前記制御モジュールは、さらに、前記調理器具が蒸らし段階にある場合、前記調理チェンバーを真空引きするように前記真空装置を制御して、前記調理チェンバー内の圧力が第２所定圧力に達した場合、真空引きを停止するように前記真空装置を制御して、前記調理チェンバー内の圧力を前記第２所定圧力に維持し、ここで、前記第２所定圧力が前記第１所定圧力より大きく、且つ零圧力より小さい、
ことを特徴とする請求項９に記載の調理器具。
【請求項１１】
前記調理器具が加熱段階及び沸騰段階にある場合、前記制御モジュールは、作動停止状態にあるように前記真空装置を制御し、前記加熱装置を制御することにより、前記調理チェンバー内の圧力が零圧力以上になるようにする、
ことを特徴とする請求項９に記載の調理器具。
【請求項１２】
前記第１所定圧力が５０〜８０ＫＰａであり、前記第２所定圧力が８０〜９５ＫＰａである、
ことを特徴とする請求項１０に記載の調理器具。
【請求項１３】
前記第１所定圧力が６０ＫＰａであり、前記所定温度が６０℃であり、前記第２所定圧力が９０ＫＰａである、
ことを特徴とする請求項１２に記載の調理器具。
【請求項１４】
前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ、
ことを特徴とする請求項９に記載の調理器具。
【請求項１５】
前記吸水段階は、複数の時間帯を含み、
前記複数の時間帯のうち少なくとも一つの時間帯において、前記制御モジュールは、前記真空装置と前記加熱装置とを制御することにより、前記調理チェンバー内の圧力を前記第１所定圧力に維持し、且つ前記米及び水の温度を前記所定温度に維持する、
ことを特徴とする請求項９に記載の調理器具。
【請求項１６】
前記圧力検出モジュールは、圧力センサを含み、
前記圧力センサは、前記蓋体に設けられて、前記調理チェンバー内の圧力をリアルタイムで検出する、
ことを特徴とする請求項９に記載の調理器具。
【発明の詳細な説明】
【技術分野】
【０００１】
本発明は、厨房電気機器の技術分野に関し、特に、調理器具の調理制御方法及び調理器具に関する。
【背景技術】
【０００２】
関連技術において例えば電器炊飯器などの調理器具は、蒸気出口が、通常大気と直接につながり、炊飯の過程において米飯中の水分が容易に蒸気出口から流れ出る蒸気により空気に分散されてしまい、米飯が収縮して硬くなり、ふわふわ感の低下を引き起こし、米飯の食感に影響する。
【０００３】
また、調理過程において、米粒の吸水速度及び吸水完了後の含水率も米飯の品質に影響を与える要因である。しかし、電気炊飯器は、米飯を調理する吸水段階において、通常常温で行うので、米粒の吸水速度が遅くて、所要の含水率に達するには、相当な時間を要する。したがって、炊飯の時間が長すぎ、且つ米飯の品質がやや劣る。
【発明の概要】
【発明が解決しようとする課題】
【０００４】
本発明は、少なくとも上記技術における一つの技術的課題をある程度解決することを目的とする。そのため、本発明の一つの目的は、中温真空吸水を実現して、米粒の吸水効率を大きく向上させ、炊飯の時間を短縮させ、調理器具により調理される米飯の食感を改善し、ユーザのニーズを十分に満たすことができる調理器具の調理制御方法を提供することである。
【０００５】
本発明の二つ目の目的は、調理器具を提供することである。
【課題を解決するための手段】
【０００６】
上記目的を達成するために、本発明の第１態様における実施例は調理器具の調理制御方法を提供し、前記調理器具は、本体と、蓋体と、真空装置と、加熱装置と、を含み、前記本体は、頂部が開放された調理チェンバーを有し、前記蓋体は、閉位置と開位置との間を移動可能に前記本体に取り付けられ、前記真空装置は、前記調理チェンバーが密閉された場合、前記調理チェンバーを真空引きして前記調理チェンバー内を負圧にするものであり、前記調理制御方法は、前記調理器具で調理する過程において、前記調理チェンバー内の圧力をリアルタイムで検出し、前記調理チェンバー内の米及び水の温度をリアルタイムで検出するステップと、前記調理器具が吸水段階にある場合、前記調理チェンバーを真空引きするように前記真空装置を制御し、加熱作動を行うように前記加熱装置を制御して、前記調理チェンバー内の圧力が所定圧力に達し、且つ前記米及び水の温度が所定温度に達した場合、真空引きを停止するように前記真空装置を制御し、前記加熱装置を制御することにより、前記調理チェンバー内の圧力を前記第１所定圧力に維持し、且つ前記米及び水の温度を前記所定温度に維持することで、米粒の吸水効率を向上させるステップであって、前記第１所定圧力が大気圧より小さく、前記所定温度が４０〜７５℃であるステップと、を含む。
【０００７】
本発明の実施例に係る調理器具の調理制御方法によれば、調理器具で調理する過程において、調理チェンバー内の圧力をリアルタイムで検出し、調理チェンバー内の米及び水の温度をリアルタイムで検出し、そして、調理器具が吸水段階にある場合、調理チェンバーを真空引きするように真空装置を制御し、加熱作動を行うように加熱装置を制御して、調理チェンバー内の圧力が第１所定圧力に達し、且つ米及び水の温度が所定温度に達した場合、真空引きを停止するように真空装置を制御し、加熱装置を制御することにより、調理チェンバー内の圧力を第１所定圧力に維持し、且つ米及び水の温度を所定温度に維持することで、米粒の吸水効率を向上させ、すなわち、吸水段階において、調理チェンバー内を負圧にし且つ所定温度の条件になるように制御して、中温真空吸水を実現することにより、吸水速度及び米粒の含水率を向上させ、炊飯の時間を短縮させ、米飯の品質を向上させる。
【０００８】
本発明の一実施例によると、前記調理器具が蒸らし段階にある場合、前記調理チェンバーを真空引きするように前記真空装置を制御して、前記調理チェンバー内の圧力が第２所定圧力に達した場合、真空引きを停止するように前記真空装置を制御して、前記調理チェンバー内の圧力を前記第２所定圧力に維持し、ここで、前記第２所定圧力が前記第１所定圧力より大きく、且つ零圧力より小さい。
【０００９】
本発明の一実施例によると、前記第１所定圧力が５０〜８０ＫＰａであり、前記第２所定圧力が８０〜９５ＫＰａである。
具体的には、前記第１所定圧力が６０ＫＰａであり、前記所定温度が６０℃であり、前記第２所定圧力が９０ＫＰａである。
【００１０】
本発明の一実施例によると、前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ。
【００１１】
本発明の一実施例によると、前記吸水段階は、複数の時間帯を含み、前記複数の時間帯のうち少なくとも一つの時間帯において、前記真空装置と前記加熱装置とを制御することにより、前記調理チェンバー内の圧力を前記第１所定圧力に維持し、且つ前記米及び水の温度を前記所定温度に維持する。
【００１２】
本発明の一実施例によると、前記蓋体に設けられた圧力センサにより、前記調理チェンバー内の圧力をリアルタイムで検出する。
【００１３】
上記目的を達成するために、本発明の第２態様における実施例は調理器具を提供し、該調理器具は、頂部が開放された調理チェンバーを有する本体と、閉位置と開位置との間を移動可能に前記本体に取り付けられる蓋体と、前記調理チェンバーが密閉された場合、前記調理チェンバーを真空引きして前記調理チェンバー内を負圧にするための真空装置と、前記調理器具を加熱するための加熱装置と、前記調理器具で調理する過程において、前記調理チェンバー内の米及び水の温度をリアルタイムで検出するための温度検出モジュールと、前記調理器具で調理する過程において、前記調理チェンバー内の圧力をリアルタイムで検出するための圧力検出モジュールと、前記調理器具が吸水段階にある場合、前記調理チェンバーを真空引きするように前記真空装置を制御し、加熱作動を行うように前記加熱装置を制御して、前記調理チェンバー内の圧力が第１所定圧力に達し、且つ前記米及び水の温度が所定温度に達した場合、真空引きを停止するように前記真空装置を制御し、前記加熱装置を制御することにより、前記調理チェンバー内の圧力を前記第１所定圧力に維持し、前記米及び水の温度を前記所定温度に維持することで、米粒の吸水効率を向上させるための制御モジュールと、を含み、前記第１所定圧力が大気圧より小さく、前記所定温度が４０〜７５℃である。
【００１４】
本発明の実施例に係る調理器具によれば、調理過程において、温度検出モジュールにより調理チェンバー内の米及び水の温度をリアルタイムで検出し、圧力検出モジュールにより調理チェンバー内の圧力をリアルタイムで検出し、そして、調理器具が吸水段階にある場合、制御モジュールは、調理チェンバーを真空引きするように真空装置を制御し、加熱作動を行うように加熱装置を制御して、調理チェンバー内の圧力が第１所定圧力に達し、且つ米及び水の温度が所定温度に達した場合、真空引きを停止するように真空装置を制御し、加熱装置を制御することにより、調理チェンバー内の圧力を第１所定圧力に維持し、米及び水の温度を所定温度に維持することで、米粒の吸水効率を向上させ、すなわち、吸水段階において、調理チェンバー内を負圧にし且つ所定温度の条件になるように制御して、中温真空吸水を実現することにより、吸水速度及び米粒の含水率を向上させ、炊飯の時間を短縮させ、米飯の品質を向上させる。
【００１５】
本発明の一実施例によると、前記調理器具が蒸らし段階にある場合、前記調理チェンバーを真空引きするように前記真空装置を制御して、前記調理チェンバー内の圧力が第２所定圧力に達した場合、真空引きを停止するように前記真空装置を制御して、前記調理チェンバー内の圧力を前記第２所定圧力に維持し、ここで、前記第２所定圧力が前記第１所定圧力より大きく、且つ零圧力より小さい。
【００１６】
本発明の一実施例によると、前記第１所定圧力が５０〜８０ＫＰａであり、前記第２所定圧力が８０〜９５ＫＰａである。
【００１７】
具体的には、前記第１所定圧力が６０ＫＰａであり、前記所定温度が６０℃であり、前記第２所定圧力が９０ＫＰａである。
【００１８】
本発明の一実施例によると、前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ。
【００１９】
本発明の一実施例によると、前記吸水段階は、複数の時間帯を含み、前記複数の時間帯のうち少なくとも一つの時間帯において、前記制御モジュールは、前記真空装置と前記加熱装置とを制御することにより、前記調理チェンバー内の圧力を前記第１所定圧力に維持し、且つ前記米及び水の温度を前記所定温度に維持する。
【００２０】
本発明の一実施例によると、前記蓋体に設けられた圧力センサにより、前記調理チェンバー内の圧力をリアルタイムで検出する。
【図面の簡単な説明】
【００２１】
【図１】本発明の実施例に係る調理器具の構造概略図である。
【図２】本発明の実施例に係る調理器具の蓋体の一部の構造概略図である。
【図３】図２における構造の断面図である。
【図４】本発明の一実施例に係る調理器具の断面図である。
【図５】本発明の一実施例に係る調理器具の調理過程における米及び水の温度及び調理チェンバ内の圧力の変化の概略図である。
【図６】本発明の一実施例に係る調理器具の調理過程における調理チェンバ内の圧力の変化の概略図である。
【図７】本発明の実施例に係る調理器具の調理制御方法のフローチャートである。
【図８】本発明の一実施例に係る調理器具の吸水段階における調理制御方法のフローチャートである。
【発明を実施するための形態】
【００２２】
以下、本発明の実施例を詳しく説明する。前記実施例の例が図面に示され、同一又は類似する符号は、常に同一又は類似する部材、或いは、同一又は類似する機能を有する部材を表す。以下に図面を参照しながら説明される実施例は例示的なものであり、本発明を解釈するために用いられ、本発明を限定するものと理解してはいけない。
【００２３】
以下、図面に合わせて本発明の実施例の調理器具の調理制御方法及び調理器具を説明する。
【００２４】
以下、先ず、図１〜図４を参照して本発明の実施例に係る調理器具１００を説明する。ここでの調理器具１００は、電気炊飯器、電気圧力鍋、電気シチュー鍋などであってもよい。
【００２５】
図１〜図４に示すように、本発明の一実施例に係る調理器具１００は、本体１０と、蓋体２０と、真空装置４０と、加熱装置５０と、を含む。
【００２６】
本体１０は、上面（図１に示される上側の表面）が開放された調理チェンバー１１を区画し、即ち、本体１０は、頂部が開放された調理チェンバー１１を有する。蓋体２０は、本体１０に枢動可能に接続され、閉位置と開位置との間を移動して調理チェンバー１１を閉じる、又は開く。蓋体２０には、抽気口２１と、排気口２２と、吸気口２３とが設けられ、抽気口２１と吸気口２３とがそれぞれ調理チェンバー１１に連通し、排気口２２が抽気口２１に連通する。
【００２７】
ここで、真空装置４０は、蓋体２０内に設けられてもよく、真空装置４０は、調理チェンバー１１が密閉された場合、調理チェンバー１１を真空引きして調理チェンバー１１内を負圧にするものである。抽気が必要な場合、真空装置４０が抽気口２１及び排気口２２に連通して、真空装置４０が抽気口２１から調理チェンバー１１における気体を抽出し、排気口２２を介して調理チェンバー１１の外部に排出する。
【００２８】
本発明の一実施例によると、上記調理器具１００は、正圧装置３０をさらに含み、このようにして、増圧する必要がある場合、正圧装置３０が吸気口２３に連通して、調理チェンバー１１の外部の空気は、吸気口２３を介して調理チェンバー１１内に入ることにより、調理チェンバー１１の気圧を増加し、蓋体２０内の凝縮水が高速の気流の衝撃作用で水の霧になって調理チェンバー１１内に入り、米粒の表面を洗い流し、米飯が湿度を維持するようにする。
【００２９】
したがって、本発明の実施例に係る調理器具１００は、真空装置４０と正圧装置３０とを利用して調理チェンバー１１内の気圧を制御して、調理プロセスにおける吸水、沸騰及び蒸らし段階において食物に必要とする気圧の要求を満たすことができるだけではなく、調理チェンバー１１内を二つの気圧に交互に切り替えることができるので、米飯のふわふわ感を向上させ、米飯の食感を改善させ、さらに蒸気の分散による食物の水分欠如を減少することができる。
【００３０】
図２に示すように、本発明の一実施例によると、正圧装置３０は、閉塞部材３１を含み、閉塞部材３１は、閉塞位置と開放位置との間を移動可能に蓋体２０の吸気口２３に設けられる。閉塞部材３１が閉塞位置に位置する場合、吸気口２３を閉じ、閉塞部材３１が開放位置に位置する場合、吸気口２３を開く。
【００３１】
閉塞部材３１を利用して吸気口２３の開閉を制御することにより、調理チェンバー１１の外部の空気が吸気口２３を介して調理チェンバー１１内に入るようにして、調理チェンバー１１の気圧を向上させることができるだけではなく、真空装置４０の作動時に気体が吸気口２３から調理チェンバー１１に入ることを防ぐことができ、調理チェンバー１１が真空装置４０の作動状態において負圧状態になることが保証される。
【００３２】
図２及び図３に示すように、本発明の更なる実施例によると、正圧装置３０は、駆動アセンブリ３２をさらに含み、駆動アセンブリ３２は、蓋体２０に設けられ、且つ閉塞部材３１に接続されることにより、閉塞位置と開放位置との間を移動するように閉塞部材３１を駆動する。駆動アセンブリ３２を利用して閉塞部材３１の移動を制御することにより、調理器具１００の自動化レベルを向上させることができるだけではなく、閉塞部材３１の手動操作によるユーザの火傷を防ぐことができ、ユーザの操作体験を向上させるのに役立つ。
【００３３】
一部の具体的な実施例において、駆動アセンブリ３２は、電磁石３２１と、プッシュロッド３２２と、を含む。電磁石３２１は、蓋体２０に設けられ、プッシュロッド３２２は、水平方向（図３に示す前後方向）に沿って移動可能に電磁石３２１に設けられ、プッシュロッド３２２の一端（図３に示す後端）は、閉塞部材３１を連動して移動させることができる。
【００３４】
図３に示すように、一部の例示において、蓋体２０には、取付カバー２４が設けられ、閉塞部材３１が球状に形成され、取付カバー２４が蓋体２０に接続され、吸気口２３の上方にカバーして設けられる。取付カバー２４は、閉塞部材３１の一側（図３に示す後側）にカバーして設けられ、位置限定及び閉塞部材３１を保護するという作用を奏する。
【００３５】
球状の閉塞部材３１は、取付カバー２４内に移動可能に設けられ、球状の閉塞部材３１は、重力及びプッシュロッド３２２の作用により吸気口２３に落ちて吸気口２３を閉塞する。球状の閉塞部材３１の生産プロセスは、簡単であり、生産コストが低く、それに球状の閉塞部材３１と吸気口２３との密封効果が良く、閉塞部材３１が吸気口２３を閉塞する際の密封性を向上させるのに役立つ。
【００３６】
一部の例示において、正圧装置３０は、支持部材３３をさらに含む。支持部材３３が蓋体２０に設けられ、且つ支持部材３３には、吸気口２３に沿って支持部材３３を軸方向に貫通する通気孔が設けられ、支持部材３３の一端が吸気口２３内に挿着され、且つ支持部材３３の外周縁と吸気口２３の内周縁とが密封係合する。閉塞部材３１が閉塞位置に位置する場合、閉塞部材３１と支持部材３３の他端の内周縁とが当接して密封係合し、吸気口２３に支持部材３３を設けることにより、閉塞部材３１の吸気口２３に対する密封効果を効果的に向上させることができる。
【００３７】
さらに、図３に示すように、支持部材３３は、リング部材３３１と、支持台３３２と、を含み、リング部材３３１が吸気口２３を取り囲んで設けられ、且つリング部材３３１の中央部には、リング部材３３１に沿ってリング部材３３１を軸方向に貫通する通気孔が形成されている。リング部材３３１の上面には、下方に向かって凹んだ凹部を有し、支持台３３２は、リング部材３３１の凹部内に取り付けられ、且つリング部材３３１の外周縁に接続される。支持台３３２は、リング部材３３１の外周縁の周方向に延在するリング形に形成されてもよい。
【００３８】
図２に示すように、本発明の一実施例によると、真空装置４０は、真空ポンプ４１と、接続管４２と、を含んでもよい。真空ポンプ４１が蓋体２０内に設けられ、真空ポンプ４１が接続管４２を介して抽気口２１及び排気口２２にそれぞれ連通する。真空ポンプ４１が作動する時、調理チェンバー１１内の気体は、真空ポンプ４１の吸引作用で、接続管４２を介して調理チェンバー１１の外部に排出されて、調理チェンバー１１内を負圧にする。すなわち、真空装置は、前記調理チェンバーが密閉された場合、前記調理チェンバーを真空引きして前記調理チェンバー内を負圧にするものである。調理チェンバー１１内の気体が抽出される場合、接続管４２内の気体中の水蒸気は、液状の水に凝縮され、調理チェンバー１１内へ還流するので、水分の分散が減少される。
【００３９】
ここで、真空ポンプ４１を利用して調理チェンバー１１の負圧状況を調節し、制御性が強く、また、接続管４２を利用して、真空ポンプ４１と抽気口２１及び排気口２２とを連通させ、真空装置４０の密閉性を向上させるのに役立ち、気体の漏洩による調理チェンバー１１内の負圧への影響を回避することができる。
【００４０】
本発明の具体的な一実施例によると、図２に示すように、真空装置４０は、電磁弁４３をさらに含み、電磁弁４３は、蓋体２０に接続され、且つ接続管４２を介して抽気口２１及び真空ポンプ４１に連通する。電磁弁４３を利用して真空ポンプ４１と抽気口２１との連通及び遮断を制御することにより、真空ポンプ４１が蒸気を順調に抽出することを保証することのみならず、正圧装置３０が作動する際に、蒸気が抽気口２１を介して漏洩することを防ぐこともでき、調理チェンバー１１内の気圧を制御するのに役立つ。
【００４１】
以下、図１〜図４を参照して本発明の実施例に係る調理器具１００の具体的な一実施例及び調理器具１００の作動プロセスを説明する。
【００４２】
図１〜図４に示すように、本発明の一実施例に係る調理器具１００は、電気炊飯器であり、電気炊飯器は、本体１０と、蓋体２０と、真空装置４０と、加熱装置５０と、正圧装置３０と、制御モジュール６０、例えば電気炊飯器の電子制御ボードと、を含む。
【００４３】
蓋体２０には、抽気口２１と、排気口２２と、吸気口２３とが設けられ、真空装置４０と正圧装置３０とが何れも蓋体２０に設けられる。真空装置４０は、抽気口２１及び排気口２２に連通し、正圧装置３０は、吸気口２３に連通する。ここで、真空装置４０と正圧装置３０とが同時に起動しない。
【００４４】
正圧装置３０は、球状の閉塞部材３１と、駆動アセンブリ３２と、支持部材３３と、を含む。ここで、駆動アセンブリ３２は、電磁石３２１と、プッシュロッド３２２と、を含む。支持部材３３は、吸気口２３に設けられ、電磁石３２１は、蓋体２０に設けられ、プッシュロッド３２２の一端は、電磁石３２１に移動可能に接続され、他端が球状の閉塞部材３１に当接するか又は球状の閉塞部材３１から離脱する。正圧装置３０は、前記調理チェンバーを密閉して、前記加熱装置５０が加熱作動を行う場合に、前記調理チェンバー内の圧力を上昇させ、又は前記調理チェンバーを開き前記調理チェンバー内の圧力が外部の環境と一致するように維持するためのものである。
【００４５】
真空装置４０は、真空ポンプ４１と、接続管４２と、電磁弁４３と、を含む。真空ポンプ４１は、接続管４２を介して電磁弁４３及び排気口２２に連通し、電磁弁４３は、接続管４２を介して抽気口２１に連通する。真空装置４０は、前記調理チェンバーが密閉された場合、前記調理チェンバーを真空引きして前記調理チェンバー内を負圧にするものである。
【００４６】
また、該調理器具1００は、温度検出モジュールと、圧力検出モジュールと、をさらに含み、前記温度検出モジュールは、前記調理器具で調理する過程において、前記調理チェンバー内の米及び水の温度をリアルタイムで検出するためのものであり、前記圧力検出モジュールは、前記調理器具で調理する過程において、前記調理チェンバー内の圧力をリアルタイムで検出するためのものである。
【００４７】
ここで、図４に示すように、温度検出モジュールは、本体の底部に設けられた温度センサ７０を含み、温度センサ７０により調理チェンバー内の米及び水の温度をリアルタイムで検出する。圧力検出モジュールは、蓋体に設けられた圧力センサ８０を含み、圧力センサ８０により調理チェンバー内の圧力をリアルタイムで検出する。
【００４８】
電気炊飯器は、炊飯する場合、一般的には、吸水段階、加熱段階、沸騰段階、蒸らし段階などのいくつかの段階を含み、図５に示す通りである。
【００４９】
制御モジュール６０は、前記調理器具が吸水段階にある場合、前記調理チェンバーを真空引きするように真空装置４０を制御し、加熱作動を行うように加熱装置５０を制御して、前記調理チェンバー内の圧力が第１所定圧力に達し、且つ前記米及び水の温度が所定温度に達した場合、制御モジュール６０は、さらに、真空引きを停止するように前記真空装置４０を制御し、前記加熱装置を制御することにより、前記調理チェンバー内の圧力を前記第１所定圧力に維持し、且つ前記米及び水の温度を前記所定温度に維持することで、米粒の吸水効率を向上させる。このようにして、吸水段階において、調理チェンバー内に真空度の大きい真空条件が形成されて、米粒の吸水速度を大きく向上させ、米粒の含水率を向上させることができる。また、制御モジュール６０は、さらに、調理器具が蒸らし段階にある場合、前記調理チェンバーを真空引きするように真空装置４０を制御して、調理チェンバー内の圧力が第２所定圧力に達した場合、真空引きを停止するように真空装置４０を制御して、調理チェンバー内の圧力を前記第２所定圧力に維持する。このようにして、蒸らし段階において調理チェンバー内に真空度の小さい真空条件が形成されて、鮮度保持時間を効果的に延長することができ、過量の蒸気を抽出することがないので、米飯が乾くなることがなく、米飯を調理する効果を向上させる。ここで、前記第２所定圧力が前記第１所定圧力より大きく、且つ零圧力、即ち標準大気圧１００ ＫＰａより小さい。前記所定温度が一定の温度より大きい。
【００５０】
本発明の一実施例によると、前記第１所定圧力が５０〜８０ＫＰａであり、前記所定温度が４０〜７５℃であり、前記第２所定圧力は、８０〜９５ＫＰａであってもよい。
【００５１】
具体的には、前記第１所定圧力は、６０ＫＰａであってもよく、所定温度は、６０℃であってもよく、前記第２所定圧力は、９０ＫＰａであってもよい。第１所定圧力が第２所定圧力より小さく、且つ何れも標準大気圧より小さいため、吸水段階に対応する真空度が蒸らし段階に対応する真空度より大きく、即ち吸水段階において大きい真空で吸水し、蒸らし段階において小さい真空で鮮度を保持する。
【００５２】
つまり、本発明の実施例では、吸水段階において、制御モジュール６０は、真空装置４０と加熱装置５０とを同時に作動するように制御することにより、調理チェンバー内に中温真空の条件を形成して、米粒の中温真空吸水を実現する。ここで、中温真空吸水とは、米粒の吸水が真空及び中温の条件で行われることを指し、これにより、単なる真空又は中温よりも早い吸水速度を取得することができる。
【００５３】
また、本発明の実施例において、調理器具、例えば電気炊飯器は調理過程において複数段階の真空作用を有し、異なる作用を実現する。例えば、吸水段階の真空は、吸水速度を向上させるが、蒸らし段階の真空は、鮮度保持時間を延長する。
【００５４】
本発明の一実施例によると、図５に示すように、調理器具が加熱段階及び沸騰段階にある場合、制御モジュール６０は、さらに、作動停止状態にあるように真空装置４０を制御し、加熱装置５０を制御することにより、調理チェンバー内の圧力が零圧力以上になるようにする。すなわち、加熱段階及び沸騰段階において、正圧装置により、調理チェンバーが開放又は密封状態にあるように維持し、この場合、加熱装置により調理器具を加熱して、調理チェンバー内の圧力が徐々に上昇されるようにし、さらに、開放状態において調理チェンバー内の圧力が外部の環境の圧力と一致するように維持し、密封装置において、調理チェンバー内の圧力が零圧力より高い一定の圧力になった後に変化しないようにする。
【００５５】
つまり、調理の異なる段階において、その真空度は異なる。真空度とは、真空装置により調理チェンバー内の気体を抽出した後、調理チェンバー内が達する圧力値である。
【００５６】
具体的には、吸水段階において、第１所定圧力が５０ＫＰａ〜８０ＫＰａであり、調理チェンバー内に真空度の大きい真空条件が維持され、吸水速度を効果的に向上させることができる。蒸らし段階において、第２所定圧力が８０ＫＰａ〜９５ＫＰａであり、調理チェンバー内に真空度の小さい真空条件が維持され、鮮度保持時間を効果的に延長することができ、米飯が乾くなることがない。
【００５７】
そのため、吸水段階の真空度が蒸らし段階の真空度以下である。
【００５８】
本発明の一実施例によると、異なる真空度を実現する場合、圧力センサにより調理チェンバー内の圧力を検出して真空装置が作動するか否かを制御する。すなわち、圧力検出モジュールは、圧力センサを含み、圧力センサは、前記蓋体に設けられて、前記調理チェンバー内の圧力をリアルタイムで検出する。
【００５９】
本発明の実施例において、異なる真空度を採用して異なる調理段階の真空のニーズを満たし、さらに、真空ポンプが常に全負荷で作動するのを回避して、真空ポンプの使用寿命を向上させる。
【００６０】
以上により、本発明の実施例の調理器具は、異なる調理段階において異なる真空度を採用することにより、急速の吸水を実現することができ、長時間にわたって鮮度を保持することができ、米飯が乾くなることがなく、米飯の効果を有効的に改善することができる。
【００６１】
本発明の一実施例によると、吸水段階は、複数の時間帯を含んでもよく、ここで、前記複数の時間帯のうち少なくとも一つの時間帯において、前記制御モジュールは、前記真空装置と前記加熱装置とを制御することにより、前記調理チェンバー内の圧力を前記第１所定圧力に維持し、且つ前記米及び水の温度を前記所定温度に維持する。すなわち、真空及び中温条件を同時に有するとは、吸水段階の各時間帯が何れも真空及び中温を同時に有してもよく、吸水段階の一部だけの時間帯が真空及び中温を同時に有してもよい。
【００６２】
真空とは、調理チェンバー内の圧力が外部の大気圧より低く、即ち負圧状態を指し、真空ポンプなどの部材により実現することができる。中温とは、調理チェンバー内の米及び水の温度が通常の常温（即ち調理器具が調理する場合に位置される環境の温度）より高いことを指し、例えば、４０℃以上且つ７５℃以下である。これにより、真空状態においても水蒸気が生成しないことを保証し、調理チェンバー内の真空効果を保証する。
【００６３】
本発明の実施例において、吸水段階において米粒の中温真空吸水を実現することにより、吸水速度及び米粒の含水率を向上させ、炊飯の時間を短縮させ、米飯の品質を向上させる。
【００６４】
本発明の一実施例によると、前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ。
【００６５】
つまり、調理チェンバー内の圧力が第１所定圧力に維持され変わらない場合、米及び水の温度が上昇することに伴って、米粒の吸水効率が高くなり、米及び水の温度が所定温度に維持され変わらない場合、調理チェンバー内の圧力が減少する、即ち調理チェンバー内の真空度が増大することに伴って、米粒の吸水効率が高くなる。具体的には、下記の表１及び表２に示すものを参照する。
【表１】
2019010495.tif 000003
【００６６】
ここで、調理チェンバー内の圧力が一定に維持される場合に、米及び水の温度が上昇することに伴って、吸水時間が変わらない場合、米粒の吸水した後の含水率が上昇する。
【表２】
2019010495.tif 000004
【００６７】
ここで、米及び水の温度が一定に維持される場合に、調理チェンバー内の圧力が低くなるに伴って、吸水時間が変わらない場合、米粒の吸水した後の含水率が上昇する。
【００６８】
具体的には、真空装置４０を利用して調理チェンバー１１を負圧状態に抽気する必要がある場合、先ず、電磁石３２１が、プッシュロッド３２２を移動して閉塞部材３１から離脱するように駆動し、閉塞部材３１が重力の作用で通気孔を閉塞し、この場合、吸気口２３が閉塞状態にあり、調理チェンバーが密封状態にある。そして、電磁弁４３を開かれるように制御し、真空ポンプ４１は、調理チェンバー１１が負圧状態になるまで、作動し始めて調理チェンバー１１内の気体を抽出し、接続管４２及び排気口２２を介して調理チェンバー１１の外部に排出し、これと同時に、加熱装置５０が加熱作動を行って、所定温度に達するまで、調理チェンバー内の米及び水の温度を上昇させる。
【００６９】
なお、本発明の実施例に係る調理器具1００の他の構成及び操作は、当業者にとって既知であり、ここでは、さらに詳しく説明しない。
【００７０】
本発明の実施例に係る調理器具は、調理過程において、温度検出モジュールにより調理チェンバー内の米及び水の温度をリアルタイムで検出し、圧力検出モジュールにより調理チェンバー内の圧力をリアルタイムで検出し、そして、調理器具が吸水段階にある場合、制御モジュールは、調理チェンバーを真空引きするように真空装置を制御し、加熱作動を行うように加熱装置を制御して、調理チェンバー内の圧力が第１所定圧力に達し、且つ米及び水の温度が所定温度に達した場合、真空引きを停止するように真空装置を制御し、加熱装置を制御することにより、調理チェンバー内の圧力を第１所定圧力に維持し、且つ米及び水の温度を所定温度に維持することで、米粒の吸水効率を向上させる。すなわち、吸水段階において、調理チェンバー内を真空にし且つ中温の条件になるように制御して、中温真空吸水を実現することにより、吸水速度及び米粒の含水率を向上させ、炊飯の時間を短縮させ、米飯の品質を向上させる。また、調理器具が蒸らし段階にある場合、制御モジュールは、同様に、調理チェンバーを真空引きするように真空装置を制御して、調理チェンバー内の圧力が第２所定圧力に達した場合、真空引きを停止するように真空装置を制御して調理チェンバー内の圧力を第２所定圧力に維持することにより、吸水段階及び蒸らし段階において調理チェンバー内の異なる圧力、即ち異なる真空度で調理することができる。例えば、吸水段階は、調理チェンバー内で大きい真空度を維持し、蒸らし段階は、調理チェンバー内で小さい真空度を維持し、このようにして、吸水段階においては大きい真空度を採用して、吸水速度を効果的に向上させることができ、蒸らし段階においては小さい真空度を採用して、鮮度保持時間を効果的に延長することができる。また、過量の蒸気を抽出せず、米飯が乾くなることはなく、さらに、吸水段階及び蒸らし段階において、何れも最終に調理された米飯の効果を向上させることができる。そのため、真空装置を利用して調理チェンバー内の気圧を制御して、調理過程における吸水、沸騰及び蒸らし段階において食物に必要とする気圧要求を満たすことができるだけではなく、調理チェンバー内の気圧が異なる状態に切り替えられるようにして、米飯のふわふわ感も向上させ、米飯の食感を改善させ、蒸気の分散による食物の水分欠如を減少することができ、ユーザのニーズを十分に満たすことができる。
【００７１】
図６は、本発明の実施例に係る調理器具の調理制御方法のフローチャートである。ここで、該調理器具は、上記実施例で説明された調理器具、例えば電気炊飯器であってもよく、該調理器具は、本体と、蓋体と、真空装置と、加熱装置と、を含んでもよく、前記本体は、頂部が開放された調理チェンバーを有し、前記蓋体は、閉位置と開位置との間を移動可能に前記本体に取り付けられ、前記真空装置は、前記調理チェンバーが密閉された場合、前記調理チェンバーを真空引きして前記調理チェンバー内を負圧にするためのものである。
【００７２】
図６に示すように、該調理器具の調理制御方法は、以下のステップＳ１〜Ｓ３を含む。
【００７３】
Ｓ１において、調理器具で調理する過程において、調理チェンバー内の圧力をリアルタイムで検出し、調理チェンバー内の米及び水の温度をリアルタイムで検出し、ここで、調理過程は、吸水段階と、加熱段階と、沸騰段階と、蒸らし段階とを含む。
【００７４】
具体的には、本体の底部に設けられた温度センサにより調理チェンバー内の米及び水の温度をリアルタイムで検出することができ、蓋体内に設けられた圧力センサにより調理チェンバー内の圧力をリアルタイムで検出することができる。
【００７５】
Ｓ２において、調理器具が吸水段階にある場合、調理チェンバーを真空引きするように真空装置を制御し、加熱作動を行うように加熱装置を制御して、調理チェンバー内の圧力が第１所定圧力に達し、且つ米及び水の温度が所定温度に達した場合、真空引きを停止するように真空装置を制御し、加熱装置を制御することにより、調理チェンバー内の圧力を第１所定圧力に維持し、米及び水の温度を所定温度に維持することで、米粒の吸水効率を向上させ、ここで、第１所定圧力が大気圧より小さく、所定温度が４０〜７５℃である。
【００７６】
本発明の一実施例によると、前記第１所定圧力が５０〜８０ＫＰａであり、好ましくは、第１所定圧力が６０ＫＰａであってよい。
【００７７】
つまり、本発明の実施例では、吸水段階において、真空装置と加熱装置とを同時に作動するように制御することにより、調理チェンバー内に中温真空の条件が形成され、米粒の中温真空吸水を実現する。ここで、中温真空吸水とは、吸水段階が真空及び中温の条件で行われることを指し、これによって、単なる真空又は中温よりも早い吸水速度を取得することができる。また、このようにして、吸水段階では、調理チェンバー内に真空度が大きい真空条件を形成することができ、米粒の吸水速度を大きく向上させ、米粒の含水率を向上させることができる。
【００７８】
本発明の一実施例によると、吸水段階は、複数の時間帯を含んでもよく、ここで、前記複数の時間帯のうち少なくとも一つの時間帯において、前記真空装置と前記加熱装置とを制御することにより、前記調理チェンバー内の圧力を前記第１所定圧力に維持し、且つ前記米及び水の温度を前記所定温度に維持する。すなわち、真空及び中温条件を同時に有するとは、吸水段階の各時間帯の何れも真空及び中温を同時に有してもよく、吸水段階の一部だけの時間帯が真空及び中温を同時に有してもよい。
【００７９】
なお、加熱装置を制御して前記調理チェンバー内の米及び水の温度を前記所定温度に維持する場合、加熱を停止するように加熱装置を制御してもよく、間欠的に加熱するように加熱装置を制御してもよく、米及び水の温度を所定温度、例えば６０℃に維持することができればよく、米粒の６０摂氏度での真空吸水を実現する。
【００８０】
また、真空とは、調理チェンバー内の圧力が外部の大気圧より低く、即ち負圧状態を指し、真空ポンプなどの部材により実現することができる。中温とは、調理チェンバー内の米及び水の温度が通常の常温より高いことを指し、例えば、４０℃以上且つ７５℃以下であり、好ましくは６０℃である。これによって、真空状態においても水蒸気が生成しないことを保証し、調理チェンバー内の真空効果を保証する。
【００８１】
本発明の実施例において、吸水段階において米粒の中温真空吸水を実現することにより、吸水速度及び米粒の含水率を向上させ、炊飯の時間を短縮させ、米飯の品質を向上させる。
【００８２】
本発明の一実施例によると、前記調理チェンバー内の圧力が前記第１所定圧力に維持される場合、前記吸水効率と前記米及び水の温度とが正の相関関係を持ち、前記米及び水の温度が前記所定温度に維持される場合、前記吸水効率と前記調理チェンバー内の圧力とが負の相関関係を持つ。
【００８３】
つまり、調理チェンバー内の圧力が第１所定圧力に維持され変わらない場合、米及び水の温度が上昇することに伴って、米粒の吸水効率が高くなり、米及び水の温度が所定温度に維持され変わらない場合、調理チェンバー内の圧力が減少する、即ち調理チェンバー内の真空度が増大することに伴って、米粒の吸水効率が高くなる。詳しくは、上記の表１及び表２に示すものを参照する。
【００８４】
Ｓ３において、調理器具が蒸らし段階にある場合、調理チェンバーを真空引きするように真空装置を制御して、調理チェンバー内の圧力が第２所定圧力に達した場合、真空引きを停止するように真空装置を制御して、調理チェンバー内の圧力を第２所定圧力に維持し、ここで、第２所定圧力が第１所定圧力より大きく、且つ零圧力、即ち標準大気圧１００ＫＰａより小さい。
【００８５】
本発明の一実施例によると、第２所定圧力が８０〜９５ＫＰａであってもよい。好ましくは、第２所定圧力が９０KPaであってもよい。
【００８６】
このようにして、蒸らし段階において調理チェンバー内に真空度の小さい真空条件が形成され、鮮度保持時間を効果的に延長することができ、過量の蒸気を抽出せず、米飯が乾くなることはなく、米飯調理の効果を向上させる。
【００８７】
第１所定圧力が第２所定圧力より小さく、且つ何れも標準大気圧より小さいため、吸水段階に対応する真空度が蒸らし段階に対応する真空度より大きく、即ち吸水段階において大きい真空で吸水し、蒸らし段階において小さい真空で鮮度を保持する。
【００８８】
つまり、本発明の実施例において、調理器具、例えば電気炊飯器が調理過程において複数段階の真空作用を有し、異なる作用を実現する。例えば、吸水段階の真空は、吸水速度を向上させるが、蒸らし段階の真空は、鮮度保持時間を延長する。
【００８９】
具体的には、本発明の一実施例において、上記調理器具の吸水段階に入った後の調理制御方法は、図７に示すようである。米及び水を鍋内に入れ、調理器具が作動し始める。そして、真空ポンプと加熱装置とを作動するように同時に制御して、真空装置は、鍋内を真空引きして、鍋内の圧力を変える。鍋内の圧力Ｐ１、例えば６０ＫＰａを判定し、鍋内の圧力がＰ１に達した場合、真空ポンプを作動しないように制御して、鍋内の圧力P1が変わらないように維持し、鍋内の圧力がＰ１に達していない場合、鍋内の圧力がＰ１に達するまで、真空ポンプを作動し続けるように制御する。加熱装置が加熱作動を行う場合、鍋内の米及び水の温度が上昇し、そして、米及び水の温度Ｔ、例えば６０℃を判定し、米及び水の温度がＴに達した場合、作動を停止するように、又は電力を調節して作動するように加熱装置を制御して（例えば、電力調節の比例に基づいて間欠的に作動するように加熱装置を制御する）、鍋内の米及び水の温度Ｔが変わらないように維持する。米及び水の温度がＴに達していない場合、米及び水の温度がＴに達するまで、加熱装置を作動し続けるように制御することによって、鍋内に真空及び中温の条件が維持され、米粒の中温真空吸水を実現する。最後に、吸水時間が所定時間Ｓに達したか否かを判定し、達した場合、加熱段階及び沸騰段階に入るように調理器具を制御し、ここで、加熱段階が完了した後、沸騰段階に入るように調理器具を制御し、沸騰段階が完了した後、蒸らし段階に入り、真空ポンプを作動するように制御し、即ち蒸らし段階において、調理チェンバーを真空引きするように真空装置を制御する。鍋内の圧力を検出し、鍋内の圧力が第２所定圧力Ｐ２以下であるか否かを判定し、「はい」である場合、真空ポンプを作動しないように制御し、鍋内の圧力をＰ２に維持し、調理が完了するまで、保温を継続する。
【００９０】
本発明の実施例の調理制御方法は、米粒の中温真空吸水を実現することができ、米粒の吸水速度を大幅に向上させ、常温での米粒の吸水速度の向上が明らかでなく、所要の含水率に達するには相当な時間を要するので、炊飯の時間が長すぎ、且つ米飯の品質がやや劣るという問題を解決することができる。また、真空装置を制御することにより、吸水段階において、真空度の比較的高いＰ１＝５０ＫＰａ〜８０ＫＰａに達するように鍋内の圧力を制御して、吸水速度を効果的に向上させることができる。蒸らし段階において、真空度の比較的低いＰ２＝８０ＫＰａ〜９５ＫＰａに達するように鍋内の圧力を制御して、鮮度保持時間を効果的に延長することができ、過量の蒸気を抽出せず、米飯が乾くなることはない。
【００９１】
本発明の実施例に係る調理器具の調理制御方法は、調理器具で調理する過程において、調理チェンバー内の圧力をリアルタイムで検出し、調理チェンバー内の米及び水の温度をリアルタイムで検出し、そして、調理器具が吸水段階にある場合、調理チェンバーを真空引きするように真空装置を制御し、加熱作動を行うように加熱装置を制御して、調理チェンバー内の圧力が第１所定圧力に達し、且つ米及び水の温度が所定温度に達した場合、真空引きを停止するように真空装置を制御し、加熱装置を制御することにより、調理チェンバー内の圧力を第１所定圧力に維持し、米及び水の温度を所定温度に維持することで、米粒の吸水効率を向上させる。すなわち、吸水段階において、調理チェンバー内に真空及び中温の条件が形成されるように制御して、中温真空吸水を実現することにより、吸水速度及び米粒の含水率を向上させ、炊飯の時間を短縮させ、米飯の品質を向上させる。調理器具が蒸らし段階にある場合、調理チェンバーを真空引きするように真空装置を制御して、調理チェンバー内の圧力が第２所定圧力に達した場合、真空引きを停止するように真空装置を制御して、調理チェンバー内の圧力を第２所定圧力に維持することにより、吸水段階及び蒸らし段階において調理チェンバー内の異なる圧力、即ち異なる真空度で調理を行うことができる。例えば、吸水段階は、調理チェンバー内の大きい真空度を維持し、蒸らし段階は、調理チェンバー内の小さい真空度を維持して、吸水段階においては大きい真空度を採用して、吸水速度を効果的に向上させることができ、蒸らし段階においては小さい真空度を採用して、鮮度保持時間を効果的に延長することができる。また、過量の蒸気を抽出せず、米飯が乾くなることはなく、さらに、吸水段階及び蒸らし段階において、何れも最終に調理された米飯の効果を向上させることができる。そのため、真空装置を利用して調理チェンバー内の気圧を制御して、調理過程における吸水、沸騰及び蒸らし段階において食物に必要とする気圧要求を満たすことができるだけではなく、調理チェンバー内の気圧が異なる状態に切り替えられることができる。したがって、米飯のふわふわ感を向上させ、米飯の食感を改善させ、蒸気の分散による食物の水分欠如を減少することができ、ユーザのニーズを十分に満たすことができる。
【００９２】
本発明の説明において、「一つの実施例」、「一部の実施例」、「例」、「具体的な例」、或いは「一部の例」などの用語を参考した説明とは、該実施例或いは示例に合わせて説明された具体的な特徴、構成、材料或いは特性が、本発明の少なくとも一つの実施例或いは例に含まれることである。本明細書において、上記用語に対する例示的な説明は、必ずしも同じ実施例或いは例を示すことではない。また、説明された具体的な特徴、構成、材料或いは特性は、いずれか一つ或いは複数の実施例又は例において適切に結合することができる。なお、互いに矛盾しない限り、当業者は、本明細書に説明される異なる実施例又は例、及び異なる実施例又は例の特徴を結合し、組み合わせることができる。
【００９３】
なお、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、明確且つ具体的な限定がない限り、「複数」とは、少なくとも二つであることを意味し、例えば、二つ、三つなどである。
【００９４】
フローチャート、又はここで他の方式により説明されるいかなるプロセス又は方法の説明は、特定のロジック機能又はプロセスのステップを実現するための一つ又はそれ以上の実行可能な命令のコードを含むモジュール、セグメント又は部分と理解されてもよい。また、本発明の好ましい実施形態の範囲は、他の実現方式が含まれており、例示され又は議論された順序に従わなくてもよく、言及された機能が実質的に同時に、又は逆の順序に応じて機能を実行することを含む。本発明の実施例が属する技術分野の当業者は、これを理解すべきである。
【００９５】
フローチャートに示され、又は、ここで他の方式により説明されたロジック及び/又はステップは、例えば、ロジック機能を実現するための実行可能な命令の一定のシーケンスリストと考えられてもよく、コマンド実行システム、装置又は機器（例えば、コンピュータに基づくシステム、プロセッサを含むシステム、又は命令実行システム、装置又は機器からコマンドを取り出して、実行可能である他のシステム）が使用するように、又はこれらのコマンド実行システム、装置又は機器を組み合わせて使用するように、いかなるコンピュータ読み取り可能な媒体において具現化されてもよい。本明細書の場合、「コンピュータ読み取り可能な媒体」とは、コマンド実行システム、装置又は機器が使用するように、又はこれらのコマンド実行システム、装置又は機器と組み合わせて使用するように、プログラムを含み、記憶し、通信し、伝搬し、又は送信することができるいかなる装置であってもよい。コンピュータ読み取り可能な媒体のより具体的な例（非網羅的なリスト）としては、1つ又は複数の配線を有する電気接続部（電子機器）、ポータブルコンピュータディスクボックス（磁気デバイス）、ランダムアクセスメモリ（ＲＡＭ）、リードオンリーメモリ（ ＲＯＭ）、消去・書き込み可能なランダムアクセスメモリ（ＥＰＲＯＭ又はフラッシュメモリ）、光ファイバー装置、及びポータブルシディロム（ＣＤＲＯＭ）を含む。また、コンピュータ読み取り可能な媒体は、上記プログラムが印刷される用紙又は他の適切な媒体であってもよい。なぜならば、例えば、用紙や他の媒体を光学スキャンし、引き続き編集し、デコードし、又は必要に応じて他の適切な方式により処理して、電子形態で上記プログラムを取得した後、それをコンピュータのメモリに記憶することができる。
【００９６】
なお、本発明の各部分は、ハードウェア、ソフトウェア、ファームウェア、又はこれらの組み合わせにより実現できる。上記実施形態では、複数のステップ又は方法は、メモリに記憶され、且つ適切なコマンド実行システムによって実行されるソフトウェア又はファームウェアにより実現することができる。例えば、ハードウェアにより実現される場合は、他の実施形態と同じく、本分野の以下の公知技術のうち何れか一つ又はこれらの組み合わせにより実現することができる。データ信号のロジック機能を実現するための論理ゲート回路を備えたディスクリート論理回路、適切な組み合わせ論理ゲート回路を備えた専用集積回路、プログラム可能なゲートアレイ（ＰＧＡ）、フィールド プログラム可能なゲートアレイ（ ＦＰＧＡ）などである。
【００９７】
当業者は、上記実施形態に係る方法に含まれている全部又は一部のステップが、プログラムにより関連するハードウェアを指令することにより完成できることを理解できる。前記プログラムは、コンピュータ読み取り可能な媒体に記憶されてもよく、当該プログラムは実行時に、方法の実施形態における一つのステップ又はその組み合わせを含むことができる。
【００９８】
また、本発明の各実施形態に係る各機能ユニットは、一つの処理モジュールに集積されてもよく、各ユニットが物理的に独立して存在してもよく、２つ又は２つ以上のユニットが一つのモジュールに集積されてもよい。上記集積されたモジュールは、ハードウェアの形式により実現されてもよく、ソフトウェアの機能モジュールの形式により実現されてもよい。上記集積されたモジュールがソフトウェアの機能モジュールの形式により実現され、独立の製品として販売又は使用される場合、一つのコンピュータ読み取り可能な記憶媒体に記憶することもできる。
【００９９】
以上説明した記憶媒体はリードオンリーメモリ、磁気ディスク又はシディロムなどであってもよい。以上、本発明の実施例を示して説明したが、上記実施例は、例示的なものであり、本発明を限定するものと理解してはいけない。当業者は、本発明の範囲内に上記実施例に対して変化、修正、取り替え及び変形を行うことができる。
【０１００】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利にまたは簡単に説明するために使用されるものであり、指定された装置又は部材が特定の方位にあり、特定の方位において構造され操作されると指示又は暗示するものではないので、本発明に対する限定と理解してはいけない。
【０１０１】
なお、本発明の説明において、明確な規定と限定がない限り、「取り付ける」、「互いに接続する」、「接続する」、「固定する」などの用語の意味は広く理解されるべきである。例えば、固定接続や、着脱可能な接続や、あるいは一体的な接続でも可能である。机器的な接続や、電気的な接続も可能である。直接的に接続することや、中間媒体を介して間接的に接続することや、二つの部材の内部が連通することや、あるいは二つの部材の間に相互の作用関係があることも可能である。当業者にとって、具体的な場合によって上記用語の本発明における具体的な意味を理解することができる。
【０１０２】
本発明において、明確な規定と限定がない限り、第１特徴が第２特徴の「上」又は「下」にあることは、第１特徴と第２特徴とが直接的に接触することを含んでも良いし、又は第１特徴と第２特徴とが中間媒体を介して間接に接触することを含んでもよい。また、第１特徴が第２特徴の「上」、「上方」又は「上面」にあることは、第１特徴が第２特徴の真上又は斜め上にあることを含むか、或いは、単に第１特徴の水平高さが第２特徴より高いことを表す。第１特徴が第２特徴の「下」、「下方」又は「下面」にあることは、第１特徴が第２特徴の真下又は斜め下にあることを含むか、或いは、単に第１特徴の水平高さが第２特徴より低いことを表す。
【０１０３】
以上、本発明の実施例を示して説明したが、上記実施例は、例示的なものであり、本発明を限定するものと理解してはいけない。当業者は、本発明の範囲内に上記実施例に対して変化、修正、取り替え及び変形を行うことができる。
【符号の説明】
【０１０４】
１００：調理器具
１０：本体
１１：調理チェンバー
２０：蓋体
２１：抽気口
２２：排気口
２３：吸気口
２４：取付カバー
３０：正圧装置
３１：閉塞部材
３２：駆動アセンブリ
３２１：電磁石
３２２：プッシュロッド
３３：支持部材
３３１：リング部材
３３２：支持台
４０：真空装置
４１：真空ポンプ
４２：接続管
４３：電磁弁
５０：加熱装置
６０：制御モジュール
７０：温度センサ
８０：圧力センサ
【図１】
2019010495.tif 000005
【図２】
2019010495.tif 000006
【図３】
2019010495.tif 000007
【図４】
2019010495.tif 000008
【図５】
2019010495.tif 000009
【図６】
2019010495.tif 000010
【図７】
2019010495.tif 000011
【図８】
2019010495.tif 000012
【外国語明細書】
2019010495000001.pdf